(57)【要約】      （修正有）【課題】ブッシング層を含む玄武岩繊維用の４００孔ブッシングを提供する。【解決手段】ブッシング層１を含む玄武岩繊維用の４００孔ブッシングであって、ブッシング層の頂面に断熱層２が固定的に接続され、断熱層の側面にヒーター３が固定的に接続され、断熱層の内壁に分流層４が固定的に接続される。溶融した玄武岩を分流層に注ぎ、断熱層を介して分流層の散逸速度を低下させ、玄武岩の温度が低くなって玄武岩を引き出せないのを防止するとともに、ヒーターにより断熱層と分流層の温度を上げて、断熱層と分流層は優れた耐熱性を有し、断熱層の密度が小さく、断熱性能も良好であるため、玄武岩の引き出し効果がより良好になり、漏れ防止層により分流層の側面からの玄武岩のこぼれを防止し、分流板を介してブッシング層上に搬送し、分流層内壁の角により丸み処理されて、玄武岩が分流層の角に引っかかってしまうのを防止する。【選択図】図２
0003233903.tif 000002
【実用新案登録請求の範囲】
【請求項１】
ブッシング層（１）を含む玄武岩繊維用の４００孔ブッシングであって、前記ブッシング層（１）の頂面に断熱層（２）が固定的に接続され、前記断熱層（２）の側面にヒーター（３）が接続され、前記断熱層（２）の内壁に分流層（４）が接続され、前記分流層（４）の頂面に保護板層（５）が接続され、前記保護板層（５）の頂面に漏れ防止層（６）が接続され、前記保護板層（５）の底面に滑り止めマット（７）が接着される、ことを特徴とする玄武岩繊維用の４００孔ブッシング。
【請求項２】
前記ブッシング層（１）と分流層（４）の両方はともに白金・ロジウム合金の材質であり、ブッシング層（１）の頂面に円弧状の溝（８）が開設される、ことを特徴とする請求項１に記載の玄武岩繊維用の４００孔ブッシング。
【請求項３】
前記断熱層（２）はアルミナセラミックの材質であり、断熱層（２）の頂面が保護板層（５）の底面に接続される、ことを特徴とする請求項１に記載の玄武岩繊維用の４００孔ブッシング。
【請求項４】
前記分流層（４）内壁の４つの角が丸み処理され、分流層（４）の内壁が研磨処理される、ことを特徴とする請求項１に記載の玄武岩繊維用の４００孔ブッシング。
【請求項５】
前記ヒーター（３）の数は４つであり、４つの前記ヒーター（３）は等間隔を空けて断熱層（２）の側面に矩形状に分布される、ことを特徴とする請求項１に記載の玄武岩繊維用の４００孔ブッシング。
【請求項６】
前記漏れ防止層（６）の高さは、保護板層（５）の高さの６倍であり、漏れ防止層（６）の内壁に円弧状の板が接着される、ことを特徴とする請求項１に記載の玄武岩繊維用の４００孔ブッシング。
【考案の詳細な説明】
【技術分野】
【０００１】
本考案は、玄武岩の関連技術分野に関し、特に玄武岩繊維用の４００孔ブッシングに関する。
【背景技術】
【０００２】
玄武岩繊維は、天然玄武岩から引き出された連続繊維であって、玄武岩の石を１４５０℃〜１５００℃で熔融した後、白金・ロジウム合金製引き出しブッシングにより高速で引き出された連続繊維である。
【０００３】
既存のブッシングの一部は、白金・ロジウム合金を使用して方形ブッシングに形成されて、玄武岩をブッシングに注ぎ引き出し、玄武岩がブッシングに注がれた後温度が徐々に低下し、温度が低下すると玄武岩が凝縮した場合、玄武岩を引き出せなくなり、ブッシングの引き出し効果が悪く、玄武岩がブッシングに注がれるときブッシングの側面からこぼれやすく、玄武岩を引き出すとき、ブッシングの表面に一部の玄武岩が付着しやすく、付着した玄武岩により玄武岩の引き出し速度に悪影響を与える。
【考案の概要】
【考案が解決しようとする課題】
【０００４】
本考案の目的は、従来技術における、既存のブッシングの一部は、白金・ロジウム合金を使用して方形ブッシングに形成されて、玄武岩をブッシングに注ぎ引き出し、玄武岩がブッシングに注がれた後温度が徐々に低下し、温度が低下すると玄武岩が凝縮した場合、玄武岩を引き出せなくなり、ブッシングの引き出し効果が悪く、玄武岩がブッシングに注がれるときブッシングの側面からこぼれやすく、玄武岩を引き出すとき、ブッシングの表面に一部の玄武岩が付着しやすく、付着した玄武岩により玄武岩の引き出し速度に悪影響を与えるという欠点を解決するための、玄武岩繊維用の４００孔ブッシングを提供することである。
【課題を解決するための手段】
【０００５】
上記の目的を達成するために、本考案は、以下の技術的解決策を採用している。
【０００６】
本考案の玄武岩繊維用の４００孔ブッシングはブッシング層を含み、前記ブッシング層の頂面に断熱層が固定的に接続され、前記断熱層の側面にヒーターが固定的に接続され、前記断熱層の内壁に分流層が固定的に接続され、前記分流層の頂面に保護板層が固定的に接続され、前記保護板層の頂面に漏れ防止層が固定的に接続され、前記保護板層の底面に滑り止めマットが接着される。
【０００７】
好ましくは、前記ブッシング層と分流層は両方とも白金・ロジウム合金の材質であり、ブッシング層の頂面に円弧状の溝が開設され、白金・ロジウム合金は優れた耐熱性を有し、ブッシング層と分流層因の高温による変形を防止し、円弧状の溝により玄武岩の流動速度が増加し、玄武岩繊維の生産速度を向上させる。
【０００８】
好ましくは、前記断熱層はアルミナセラミックの材質であり、断熱層の頂面が保護板層の底面に固定的に接続され、アルミナセラミックの密度が小さく断熱性が良好であり、アルミナセラミックの重量が軽いため、装置整体の重量を効果的に減らすことができる。
【０００９】
好ましくは、前記分流層の内壁の４つの角は丸み処理され、分流層の内壁は研磨処理され、丸み処理により、玄武岩が分流層を流動する場合分流層の角に引っかかって、玄武岩が分流層に詰まり、分流層の分流効果に悪影響を与えるのを防止するとともに、研磨処理により分流層上の玄武岩の流動速度を増加する。
【００１０】
好ましくは、前記ヒーターの数は４つであり、４つの前記ヒーターは等間隔を空けて断熱層の側面に矩形状に分布され、ヒーターにより断熱層と分流層を加熱することで、玄武岩が分流層に注がれた後温度が低下するのを防止するとともに、断熱層により分流層内の熱伝導を低減する。
【００１１】
好ましくは、前記漏れ防止層の高さは保護板層の高さの６倍であり、漏れ防止層の内壁に円弧状の板が接着され、漏れ防止層により、玄武岩が分流層に注がれたとき分流層の側面からこぼれるのを防止する。
【考案の効果】
【００１２】
従来技術と比べて、本考案は以下の有益な効果を有する。
【００１３】
（１）本考案は、溶融した玄武岩を分流層に注ぎ、断熱層を介して分流層の散逸速度を低下させ、玄武岩温度が低くなり、玄武岩を引き出せないのを防止するとともに、ヒーターにより断熱層と分流層の温度を上げて、断熱層と分流層は優れた耐熱性を有し、断熱層の密度が小さく、断熱性能が良好であるため、玄武岩の引き出し効果がより良好である。
【００１４】
（２）本考案は、漏れ防止層により、玄武岩が分流層の側面からこぼれるのを防止し、その後分流板を介してブッシング層上に搬送し、分流層の内壁の角によって丸み処理され、玄武岩が分流層の角に引っかかってしまうのを防止し、円弧状の溝により玄武岩の滑り速度および引き出し速度を増加して、玄武岩の引き出し速度がより速くなる。
【図面の簡単な説明】
【００１５】
【図１】本考案の三次元構造の概略図である。
【図２】本考案の三次元構造の断面図である。
【図３】本考案の三次元構造の分解断面図である。
【符号の説明】
【００１６】
１    ブッシング層
２    断熱層
３    ヒーター
４    分流層
５    保護板層
６    漏れ防止層
７    滑り止めマット
８    円弧状の溝
【考案を実施するための形態】
【００１７】
以下に、本考案の実施例の図面を参照して、本考案の実施例における技術的解決策を明確かつ完全に説明するが、説明される実施例は本考案の一部の実施例に過ぎ、すべての実施例ではないことは明らかである。
【００１８】
図１〜図３を参照して、玄武岩繊維用の４００孔ブッシングはブッシング層１を含み、ブッシング層１と分流層４は両方とも白金・ロジウム合金の材質であり、ブッシング層１の頂面に円弧状の溝８が開設され、ブッシング層１の頂面に断熱層２が固定的に接続され、断熱層２はアルミナセラミックの材質であり、断熱層２の頂面が保護板層５の底面に固定的に接続され、断熱層２の側面にヒーター３が固定的に接続され、ヒーター３の数は４つであり、４つのヒーター３は等間隔を空けて断熱層２の側面に矩形状に分布され、断熱層２の内壁に分流層４が固定的に接続され、分流層４内壁の４つの角が丸み処理され、分流層４の内壁が研磨処理され、溶融した玄武岩を分流層４内に注ぎ、断熱層２により分流層４の散逸速度を低下し、玄武岩の温度が低く、玄武岩を引き出せないのを防止するとともに、ヒーター３により断熱層２と分流層４の温度を上げて、断熱層２と分流層４は優れた耐熱性を有し、断熱層２の密度が小さく、断熱性能が良好であるため、玄武岩の引き出し効果がより良好になり、分流層４の頂面に保護板層５が固定的に接続され、保護板層５の頂面に漏れ防止層６が固定的に接続され、漏れ防止層６の高さは保護板層５の高さの６倍であり、漏れ防止層６の内壁に円弧状の板が接着され、漏れ防止層６により、玄武岩が分流層４の側面からこぼれるのを防止し、その後分流板を介してブッシング層１上に搬送し、分流層４の内壁の角によって丸み処理され、玄武岩が分流層４の角に引っかかってしまうのを防止するとともに、円弧状の溝８により玄武岩の滑り速度および引き出し速度を増加し、玄武岩の引き出し速度がより速くなり、保護板層５の底面に滑り止めマット７が接着される。
【００１９】
以上は本考案の好ましい特定の実施形態を説明したが、本考案の保護範囲はこれに限定されず、当業者であれば、本考案に開示された技術範囲内に、本考案の技術的解決策およびその考案の思想に基づいて加えた同等置換や変更は、すべて本考案の保護範囲に含まれるべきである。
【図１】
0003233903.tif 000003
【図２】
0003233903.tif 000004
【図３】
0003233903.tif 000005